(57)【要約】【課題】緊急事態の発生を予防すると共に、システムで認識するレベルに達しない不具合が生じた場合でも本人が訴えるまでもなく外部に伝わる設置・運用コストが低い健康管理方法の提供。【解決手段】看護員、介護員及び監視センターなどが高齢者や障害者等の安知、異常を認識するため、高齢者や障害者等の住居から電気通信回線を介して送られてくる健康管理データを受信し、分析し、必要があれば介護、看護及び生活支援等などを行う健康管理方法において、目標とする高齢者や障害者を車載装置により指定し、当該高齢者や障害者等の健康管理データを、車載装置で受信し、当該高齢者や障害者等の健康管理データの分析、判定を行い、判定結果に基づいて対応を車載装置が選択出力する特徴を持った移動型健康管理方法。【選択図】　　　図１
2004054703.tif 000002
【特許請求の範囲】
【請求項１】
看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の健康管理データを、当該車載装置へ送信するよう前記健康管理装置に要求するステップと、その要求を受けた前記車載装置が前記健康管理装置から送信された前記健康管理データを受信するステップと、前記車載装置が健康管理装置から受信した前記健康管理データの分析、判定を行うステップを含む移動型健康管理方法。
【請求項２】
看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の健康管理データに基づく健康及び生活の状態の判定結果を、当該車載装置へ送信するよう前記健康管理装置に要求するステップと、その要求を受けた前記車載装置が、前記健康管理装置から送信された健康及び生活の状態の判定結果を受信するステップを含む移動型健康管理方法。
【請求項３】
前記請求項１又は２記載の移動型健康管理方法において、前記健康管理データ、又は前記判定結果に基づいて対応を車載装置が選択出力するステップを有する移動型健康管理方法。
【請求項４】
看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の前記健康管理データに基づく健康及び生活の状態の判定結果に対する処理要求を、当該車載装置へ送信するよう前記健康管理装置に要求するステップと、その要求を受けて前記健康管理装置から送信された前記処理要求を、前記車載装置が受信するステップを含む移動型健康管理方法。
【発明の詳細な説明】
【０００１】
【発明の属する技術分野】
本発明は、遠隔地から高齢者や障害者等の健康管理を行う健康管理システムに関するものである。
【０００２】
【従来の技術】
個人の生活スタイルの変化や高齢化等に起因した核家族化が進むにつれ、独居世帯や高齢者世帯が年々増加しているが、この様な世帯の住人を家族等（家族、親類、縁者等）として持つ者としては、高齢者等の健康状態や生活状態が常々気になるところである。そこで、従来よりメディカル機器を使用して、血圧、体温、心拍などを日々計測し、電話回線などを通じて医療機関へ送信する健康管理システムや、安否センサ、外出検知センサ、開閉センサなど多くのセンサを住居に設置し、それらセンサの動作状況から導かれる生活パターンより安否や緊急事態を認識し、アラームを電話回線やＣＡＴＶ回線などを通じて在宅支援センターや監視センターなどに送信する装置が数多く存在している。
【０００３】
【発明が解決しようとする課題】
しかしながら、例えば高齢者や障害者等（以下、被管理者という。）の生活データを電話回線で送信する場合、データ量が大きく、通信費用がかかり、任意の時刻にデータ収集するためにはノーリンギング装置の追加又はダイヤルディスプレイの追加など、被管理者宅に付加機能が必要で、この費用が被管理者宅の電話利用料に加算され、サービスを受けるためだけに通信費用が増え、サービスの普及を妨げている。
【０００４】
また、電話回線によるデータ収集は、一旦、監視センターに集められるため多くの被管理者宅のデータを収集しようとすると、収集日、収集時間帯が制限されデータのリアルタイム性が損なわれる。また、異常を発見しても、生活支援のスケジュールの都合や、著しく交通の便の悪い場所では、実際の訪問までに時間がかかり即時に対応できない問題がある。更に、被管理者の中には、自分の生活を監視センターなど知らないところでモニタされることを嫌がる場合もあり、プライバシーの問題も発生している。
【０００５】
一方、被管理者の在宅介護や生活支援のため、定期的にケアマネージャーや保健婦などが巡回しているが、被管理者宅を訪問して応答がない場合、被管理者の事情（耳が遠い、足の具合が悪い、病気、怪我で寝ている等）で在宅か不在かが認識できず、前記ケアマネージャーや保健婦が訪問時に余分な時間を費やすという問題や、健康的で生活上問題がなく、訪問する必要がない被管理者宅にも訪問しなくてはならず効率的ではない。また、被管理者が頻繁に訪問されることを嫌がる場合もあるため必要なサービスを提供出来ないといった問題が発生している。
【０００６】
本発明は、上記実情に鑑みて成されたものであって、第一の移動型健康管理方法は、看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の健康管理データを、当該車載装置へ送信するよう前記健康管理装置に要求するステップと、その要求を受けた前記車載装置が前記健康管理装置から送信された前記健康管理データをを受信するステップと、前記車載装置が健康管理装置から受信した前記健康管理データの分析、判定を行うステップを含むことを特徴としている。
【０００７】
また、第二の移動型健康管理方法としては、看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の健康管理データに基づく健康及び生活の状態の判定結果を、当該車載装置へ送信するよう前記健康管理装置に要求するステップと、その要求を受けた前記車載装置が、前記健康管理装置から送信された健康及び生活の状態の判定結果を受信するステップを含むことを特徴としている。
【０００８】
また、上記いずれの場合にかかわらず、前記判定結果に基づいて対応を車載装置が選択出力するステップを有する場合もある。
【０００９】
更に、第三の移動型健康管理方法としては、看護員、介護員及び監視センターなどが高齢者や障害者等の安知、異常を認識するため、高齢者や障害者等の住居に設置された健康管理装置が収集したデータを分析し、必要があれば介護、看護及び生活支援等などを行う健康管理方法において、目標とする高齢者や障害者を指定された車載装置が、当該高齢者や障害者等の前記健康管理データに基づく健康及び生活の状態の判定結果に対する処理要求を、当該車載装置へ送信するよう前記健康管理装置に要求するステップと、その要求を受けて前記健康管理装置から送信された前記処理要求を、前記車載装置が受信するステップを含むことを特徴としている。
【００１０】
電気通信回線は、無線による通信網とする。また、健康管理データとは、前記被管理者の生活スタイル、生活環境及び健康状態の変化の有無、又はそれらより推測できる事項を含む事柄を示したデータであって、当該出力の受信により前記被管理者の生活状態を認識できるものであれば足りる。
【００１１】
車載装置とは、ＣＰＵ、メモリ、各種インターフェイス、並びに記憶装置を具備したコンピューター・システムから成り、自動車等に搭載され、図２に示す如く、無線通信で情報の授受を行う通信手段を具備し、管理者が被管理者宅の健康管理装置と情報の授受を行うことが可能な装置のことである。
【００１２】
健康管理装置とは、前記コンピューター・システムから成り、図２に示す如く、無線通信で情報の授受を行う通信手段を具備すると共に、各種検出センサを具備し、前記車載装置と情報の授受を行うことが可能な装置のことである。
【００１３】
処理要求とは、医学的な処置や、看護行為などの処理を前記電気通信回線を使用して要求することである。
【００１４】
【発明の実施の形態】
以下、本発明による移動型健康管理方法の実施の形態をそれに用いる健康管理システムと共に、図面に基づき説明する。図３に示す如く、前記健康管理システムは看護員、介護員及び監視センターなど（以下、管理者という。）側の車載装置と被管理者宅の健康管理装置とそれらを結ぶ電気通信回線で構成される。
【００１５】
第一の実施形態における、管理者側の前記車載装置は、図３に示す如く、前記コンピューター・システムから成り、被管理者の生年月日、名前、性別、住所、ＩＤ番号など被管理者の個人情報が記録されている登録者データベースと、被管理者の生活状況や健康状態を判断する為の指標となるデータを蓄積した基礎的データベースを保存した記録装置１と入力手段２と、送信手段３と、受信手段４と、判定手段５から構成される。
【００１６】
車載装置の入力手段２とは、管理者が被管理者を指定に必要な情報を車載装置に入力する為のものである。
【００１７】
車載装置の送信手段３とは、前記入力手段２による指定に基づき管理者側の前記車載装置が前記記録装置１の前記登録者データベースから、指定された被管理者のデータを読み出し、指定した被管理者宅の健康管理装置に対し健康管理データの送信を要求する旨の無線信号と、指定した管理者のＩＤ等の認証データの無線信号を送信するものである。
【００１８】
車載装置の受信手段４とは、管理者側の前記車載装置が被管理者宅の健康管理装置から送信される健康管理データを受信し、復調によりデジタルデータ化して記録装置１に保存すると共に、前記判定手段５へ送るものである。
【００１９】
車載装置の判定手段５とは、前記受信手段４により受信した被管理者の健康管理データと、前記記録装置１に備える前記基礎的データベースの内容との比較により、被管理者の生活状況や健康状態を判定し、生活状態及び健康状態の判定結果を出力するものである。また、前記送信手段３の機能として上記判定結果を病院、消防署、家族等を含む外部の機関に出力し、被管理者に対して、看護や介護等の医療的行為を行うように要請する機能を設ける場合もある。
【００２０】
一方、被管理者側の健康管理装置は前記車載装置と情報の授受を行う装置で、図３に示す如く、前記コンピューター・システムから成り、記録装置６と各種検出センサ７と記録手段８と受信手段９と送信手段１０から構成される。
【００２１】
各種検出センサ７とは、被管理者の生活状況を認識するため、被管理者宅の住居内に設置する、例えば、人体の存在及び人の行動より生じた事象を検出する赤外線センサや電波検出センサなどの行動検出センサのことである。
【００２２】
記録装置６とは、前記各種検出センサ７等から収集された状況信号である時限データと、管理者の生年月日、名前、性別、住所、ＩＤ番号などの管理者情報が記録されているホームデータベースを保存した装置である。
【００２３】
健康管理装置の記録手段８とは、前記各種検出センサの検出履歴を時間軸を含んだ検出データとし、デジタルデータ化して、前記時限データとして前記記録装置６に保存するものである。
【００２４】
健康管理装置の受信手段９とは、前記車載装置の前記送信手段３より送られてくる健康管理データの送信を要求する旨の無線信号を受信し、前記記録装置６のホームデータベース（図３参照）に記録されている管理者の氏名、ＩＤなどの管理者情報と、管理者側の車載装置の前記送信手段３より送られてきた被管理者の氏名、ＩＤなどの認証データとを比較する認証処理を行うものである。
【００２５】
健康管理装置の送信手段１０とは、前記認証処理を経た後、前記管理者側の車載装置による送信要求に基づいて前記記録装置８に保存されている時限データ（図３参照）を読み出し、時限データを無線信号で管理者側の車載装置に送信出来る様にデータ構築し、無線信号化して車載装置へ送信するものである。
【００２６】
ここで、管理者と被管理者両者のやり取りを図４に示す管理者と被管理者とののステップ図を使用し説明する。
まず、管理者は移動車両中に前記車載装置を所持し、図１に示す如く、被管理者宅前に一定の時間内停止するか、もしくは前記被管理者宅の周辺を自動車に乗った状態で巡回し、第一のステップで、入力手段２によって指定した被管理者の健康管理装置に対して、車載装置から健康管理データの送信を要求する。次に、第二のステップで、被管理者側の健康管理装置は受信手段９により管理者の送信要求を受け、予め被管理者側の前記健康管理装置に登録されているＩＤ及びパスワードの認証を行い、健康管理データを管理者側の車載装置へ無線信号で送ることが可能な形態に作成する。そして、第三のステップで、被管理者側の車載装置は送信手段１０を実行し、管理者側の車載装置に健康管理データを無線信号により送信する。
【００２７】
次に、第四のステップで、管理者側の車載装置は受信手段４により被管理者より送信された健康管理データを受信する。
【００２８】
更に、第五のステップで、管理者側の車載装置は判定手段５により、管理者側の基礎的データベースに蓄積されているデータと被管理者側から送信された健康管理データを比較し、データの違い等から被管理者の生活状況や健康状態に異常があるか否かを判定する。これは例えば、管理者側の基礎的データベースに蓄積されている一般的なトイレの使用状況に関するデータと、被管理者側の前記健康管理装置から送信された健康管理データに含まれる被管理者のトイレの使用状況に関するデータを比較した場合、被管理者のトイレの使用回数が異常に多かった場合に、被管理者の生活状況もしくは健康状態に異常があると判定する。
【００２９】
最後に、第六のステップで、管理者側の車載装置が判定結果に基づき被管理者に対して、つぎなる措置行為を自動的に実行する。これは例えば、医療機関等に被管理者の介護や看護を依頼し、前記医療機関が被管理者に対し介護行為や看護行為等を行わせるものである。尚、前記措置行為の要請を管理者による手動で行う場合もある。
【００３０】
一方、第二の実施形態として、前記健康管理装置が収集した健康管理データに基づく健康及び生活の状態の判定手段５を被管理者側の前記健康管理装置に置く場合もあり、前記判定手段５を前記健康管理装置に置いた健康管理システムの構成は、図５に示す如く、前記健康管理装置を構成する記録装置６に前記基礎的データベースを予め保存し、それを基準とする判定手段５を車載装置に代えて前記健康管理装置に設けた構成となる。
【００３１】
ここで、管理者と被管理者両者のやり取りを図６の移動型健康管理方法の処理の一例を示すステップ図を使用して説明する。
まず管理者は、図１に示す如く、移動車両に前記車載装置を所持し被管理者宅前に一定の時間内停止するか、もしくは前記被管理者宅の周辺を自動車に乗った状態で巡回し、第一のステップで、車載装置から入力手段２によって指定した被管理者側の健康管理装置に対して、判定結果の送信を要求する。
【００３２】
次に、第二のステップで、被管理者側の健康管理装置は、受信手段９により管理者側の車載装置からの送信要求を受け、予め被管理者側の前記健康管理装置に登録されているＩＤ及びパスワードの認証を行う。これは、被管理者側の前記記録装置６のホームデータベース（図５参照）に記録されている管理者の氏名、ＩＤなどの管理者情報と、管理者側の前記送信手段３より送られてきた被管理者の氏名、ＩＤなどの認証データとを比較する認証処理を行うものである。
【００３３】
そして、第三のステップで、被管理者側の健康管理装置は前記判定手段５により、前記被管理者側の基礎的データベースに蓄積されているデータと前記時限データを比較し、データの違い等から被管理者の生活状況や健康状態に異常があるか否かを前記第一の実施形態と同様に判定する。
【００３４】
更に、第四のステップで、前記第一の実施形態における被管理者側の健康管理装置の送信手段１０を、管理者側の車載装置へ前記判定結果を無線信号で送ることが可能な形態に構成し、当該送信手段１０を実行し、管理者側の車載装置へ判定結果を送信する。
【００３５】
次に、第五のステップで、管理者側の車載装置は受信手段４により被管理者側の健康管理装置より送信された判定結果を受信する。最後に、第六のステップで、管理者側の車載装置は受信した判定結果に基づき被管理者に対して、次なる措置行為の要請を管理者側の車載装置が自動的に実行する。これは例えば、医療機関等に被管理者の介護や看護を依頼し、前記医療機関が被管理者に対し介護行為や看護行為等を行わせるものである。尚、前記措置行為の要請を管理者による手動で行う場合もある。
【００３６】
更に、第四の実施形態として、被管理者側の前記健康管理装置における前記送信手段１０を使用し、被管理者側の健康管理装置から健康及び生活の状態の判定結果に基づく処理要求を送信する場合もある。その際の健康管理システムの構成は、図７に示す如く、被管理者側の前記健康管理装置における前記記録装置６の前記基礎的データベースに、処理要求を選択する指標となる被管理者達の既往症や投薬情報、発作等の対処方法などのデータを加えた構成となる。
【００３７】
ここで、管理者と被管理者両者のやり取りを図８に示す管理者と被管理者とののステップ図を使用し説明する。
まず、管理者は、図１に示す如く、前記車載装置を所持し被管理者宅前に一定の時間内停止するか、もしくは前記被管理者宅の周辺を自動車に乗った状態で巡回し、第一のステップで、前記入力手段２によって指定した被管理者側の健康管理装置に対して、処理要求の送信を要求する。
【００３８】
次に、第二のステップで、被管理者側の健康管理装置は前記受信手段９により、管理者側の車載装置より送信要求を受け、予め被管理者側の前記健康管理装置に登録されているＩＤ及びパスワードの認証を行う。これは、被管理者側の前記記録装置６のホームデータベース（図７参照）に記録されている管理者の氏名、ＩＤなどの管理者情報と、管理者側の前記送信手段３より送られてきた被管理者の氏名、ＩＤなどの認証データとを比較する認証処理を行うものである。
【００３９】
そして、第三のステップで、被管理者側の健康管理装置は前記判定手段５により、前記第一実施形態と同様に被管理者側の基礎的データベースに蓄積されているデータと時限データを比較し、データの違い等から被管理者の生活状況や健康状態に異常があるか否かを判定する。
【００４０】
更に、第四のステップで、第一の実施形態における被管理者側の健康管理装置の送信手段１０を、前記判定に基づく前記処理要求を管理者側の車載装置へ無線信号で送ることが可能な形態に構成し、当該送信手段１０を実行し、管理者側の車載装置へ処理要求となるデータを送信する。前記送信手段１０は、被管理者が任意にも行えるものとする。例えば、被管理者が自ら気分が悪いなどといった健康状態の異常を感じた場合には、被管理者が任意に前記送信手段１０を実行することができる。
【００４１】
次に、第五のステップで、管理者側の車載装置は受信手段４により被管理者側の健康管理装置より送信された前記処理要求となるデータを受信する。最後に、第六のステップで、管理者は受信した処理要求と前記基礎的データベースに保存してある被管理者達の既往症や投薬情報、発作等の対処方法などのデータに基き、被管理者に対しての措置行為を即座に行う。
【００４２】
【発明の効果】
以上のごとく本発明による健康管理システムによれば、被管理者が具合がわるくなったり怪我を負ったりなどの緊急事態と共に、被管理者宅に設置された行動検出センサの稼働状況を示す履歴データを積極的に利用して得た通常情報、即ち被管理者が日々健康に生活を送っているという知らせを、離れて住む家族等へ積極的に提供することとなり、異常な情報が存在しなければ通常であるという消極的な健康管理システムとは比較にならない正確な通常情報を家族等に対して提供することができる他、車載装置により被管理者の健康管理データを受信し、収集するため被管理者と監視センタ間が遠距離で無線等による通信範囲外であっても、健康管理データを収集でき、被管理者の生活状況を確認できる。
【００４３】
また、車載装置が設けられた自動車で被管理者宅を通過、または短時間の停車をすることで生活状況が分析できるため、看護員やケア要員がその場で訪問ケアを行う、行わないの判断をすることが可能である。更に、車載装置のデータベースに被管理者達の既住症や投薬情報、発作等の対処方法を保存しておくことで、異常や緊急の際にも適切な初期対応を即座に行うことが可能である。また、必ず訪問する場合であっても被管理者が在宅か不在かを確認することが可能であるので、効率的な看護を行うことができる。
【００４４】
しかも、被管理者宅前で車載装置により収集した健康管理データをその場で分析することで、訪問前に必要なケアプランを作ることが可能であり、車載装置の制御装置に携帯型パソコンを使用することにより、健康管理データを持参して被管理者宅に訪問でき、分析した健康管理データを見せて生活指導を行ったり、介護保険等の申請やケアプランの作成をすることができる。
【図面の簡単な説明】
【図１】本発明による移動型健康管理方法の機能構成の一例を示すブロック図である。
【図２】本発明による移動型健康管理方法のハードウエア構成の一例を示すブロック図である。
【図３】本発明による移動型健康管理方法の機能構成の一例を示すブロック図である。
【図４】本発明による移動型健康管理方法の処理の一例を示すステップ図である。
【図５】本発明による移動型健康管理方法の機能構成の一例を示すブロック図である。
【図６】本発明による移動型健康管理方法の処理の一例を示すステップ図である。
【図７】本発明による移動型健康管理方法の機能構成の一例を示すブロック図である。
【図８】本発明による移動型健康管理方法の処理の一例を示すステップ図である。
【符号の説明】
１　記録装置，２　入力手段，３　送信手段，４　受信手段，
５　判定手段，６　記録装置，７　検出センサ，８　記録手段，
９　受信手段，１０　送信手段
【図１】
2004054703.tif 000003
【図２】
2004054703.tif 000004
【図３】
2004054703.tif 000005
【図４】
2004054703.tif 000006
【図５】
2004054703.tif 000007
【図６】
2004054703.tif 000008
【図７】
2004054703.tif 000009
【図８】
2004054703.tif 000010